(57)【要約】【課題】チャンネルに関連する情報が不足したり重複したりするような例外的な放送を含む受信可能なＡＴＳＣ方式の全てのデジタルテレビ放送をチャンネルの重複等なく漏れなく適切にチャンネルプリセットする。【解決手段】チャンネルプリセット処理部１２により、ＰＳＩＰにＶＣＴが存在するか否か、チャンネルプリセット用のメモリ４に同じ仮想チャンネルが登録されいるか否か、仮想チャンネルが１パートチャンネルか２パートチャンネルか等の判断に基づき、チャンネルに関連する情報が不足したり重複したりするような例外的な放送を含む受信可能なＡＴＳＣ方式の全てのデジタルテレビ放送に重複等なく適切な仮想チャンネルを割り当ててプリセットする。【選択図】図１
2008154148.tif 000002
【特許請求の範囲】
【請求項１】
ＡＴＳＣ（Ａｄｖａｎｃｅｄ  Ｔｅｌｅｖｉｓｉｏｎ  Ｓｙｓｔｅｍｓ  Ｃｏｍｍｉｔｔｅｅ）方式のデジタルテレビ放送の受信機能を備えた映像処理装置において、前記受信機能のチャンネルプリセットにより、選局周波数を昇降可変してトランスポート・ストリーム（以下、ＴＳという）を受信復調するか否かを検出する有局検出手段と、前記有局検出手段がＴＳの受信復調を検出する毎に受信復調したＴＳのＰＳＩＰ（Ｐｒｏｇｒａｍ  ａｎｄ  Ｓｙｓｔｅｍ  Ｉｎｆｏｒｍａｔｉｏｎ  Ｐｒｏｔｏｃｏｌ）にバーチャル・チャンネル・テーブル（Ｖｉｒｔｕａｌ  Ｃｈａｎｎｅｌ  Ｔａｂｌｅ）（以下、ＶＣＴという）が存在するか否かを判別するＶＣＴ有無判別手段と、前記ＶＣＴ有無判別手段のＶＣＴ有りの判別により、前記ＶＣＴのメイン（Ｍａｊｏｒ）値及びサブ（Ｍｉｎｏｒ）値が形成する仮想チャンネル（Ｖｉｒｔｕａｌ  Ｃｈａｎｎｅｌ）（以下、Ｖ−ＣＨという）はチャンネルプリセット用のメモリに既登録か否かを判別する登録有無判別手段と、前記登録有無判別手段の未登録の判別により当該Ｖ−ＣＨを前記メモリにプリセット記憶して登録する基本登録処理手段と、前記登録有無判別手段の既登録の判別により当該Ｖ−ＣＨが１パートチャンネルか２パートチャンネルかを識別するチャンネル種別識別手段と、該チャンネル種別識別手段の１パートチャンネルの識別により、当該Ｖ−ＣＨのメイン値を前記選局周波数に対応した物理チャンネル値に変更して修正し、かつ、サブ値を前記メモリの同一メイン値の既登録の２パートチャンネルで未使用のサブ値に変更し、変更後の２パートチャンネルのＶ−ＣＨとして前記メモリにプリセット記憶して登録し、前記チャンネル種別識別手段の２パートチャンネルの識別により、当該Ｖ−ＣＨのサブ値を前記メモリの同一メイン値の既登録の２パートチャンネルで未使用のサブ値に変更し、変更後のメイン値及びサブ値が形成する２パートチャンネルのＶ−ＣＨとして前記メモリにプリセット記憶して登録する第１の例外登録処理手段と、前記ＶＣＴ有無判別手段のＶＣＴ無しの判別により、前記選局周波数の物理チャンネル値のメイン値と、ＴＳに含まれるプログラム・マップ・テーブル（Pｒｏｇｒａｍ  Ｍａｐ  Ｔａｂｌｅ）のプログラム・ナンバー（Ｐｒｏｇｒａｍ  Ｎｕｍｂｅｒ）の順のサブ値とによってＶ−ＣＨを生成し、生成したＶ−ＣＨが前記メモリに未登録であれば生成したＶ−ＣＨとして前記メモリにプリセット記憶して登録し、生成したＶ−ＣＨが前記メモリに既登録であれば生成したＶ−ＣＨのサブ値を前記メモリの既登録の２パートチャンネルで未使用のサブ値に変更し、変更後のＶ−ＣＨとして前記メモリにプリセット記憶して登録する第２の例外登録処理手段とを備えたことを特徴とする映像処理装置。
【請求項２】
前記第２の例外登録処理手段は、前記ＶＣＴ有無判別手段のＶＣＴ無しの判別により、前記選局周波数の物理チャンネル値のメイン値と、ＴＳに含まれるプログラム・マップ・テーブル（Pｒｏｇｒａｍ  Ｍａｐ  Ｔａｂｌｅ）のプログラム・ナンバー（Ｐｒｏｇｒａｍ  Ｎｕｍｂｅｒ）の順のサブ値とによってＶ−ＣＨを生成することに代えて、前記選局周波数の物理チャンネル値のメインと、１から順のサブ値とによってＶ−ＣＨを生成するようにしたことを特徴とする請求項１記載の映像処理装置。
【請求項３】
ＡＴＳＣ（Ａｄｖａｎｃｅｄ  Ｔｅｌｅｖｉｓｉｏｎ  Ｓｙｓｔｅｍｓ  Ｃｏｍｍｉｔｔｅｅ）方式のデジタルテレビ放送の受信機能を備えた映像処理装置のチャンネルプリセット方法において、選局周波数を昇降可変してトランスポート・ストリーム（以下、ＴＳという）を受信復調する毎に、受信復調したＴＳのＰＳＩＰ（Ｐｒｏｇｒａｍ  ａｎｄ  Ｓｙｓｔｅｍ  Ｉｎｆｏｒｍａｔｉｏｎ  Ｐｒｏｔｏｃｏｌ）にバーチャル・チャンネル・テーブル（Ｖｉｒｔｕａｌ  Ｃｈａｎｎｅｌ  Ｔａｂｌｅ）（以下、ＶＣＴという）が存在するか否かを判別し、ＶＣＴが存在するときには、当該ＶＣＴのメイン（Ｍａｊｏｒ）値及びサブ（Ｍｉｎｏｒ）値が形成する仮想チャンネル（Ｖｉｒｔｕａｌ  Ｃｈａｎｎｅｌ）（以下、Ｖ−ＣＨという）はチャンネルプリセット用のメモリに既登録か否かを判別し、未登録であれば当該Ｖ−ＣＨをそのまま前記メモリにプリセット記憶して登録し、既登録であれば当該Ｖ−ＣＨが１パートチャンネルか２パートチャンネルかを識別し、１パートチャンネルのＶ−ＣＨについては、当該Ｖ−ＣＨのメイン値を前記選局周波数に対応した物理チャンネル値に変更して修正し、かつ、サブ値を前記メモリの同一メイン値の既登録の２パートチャンネルで未使用のサブ値に変更し、変更後の２パートチャンネルのＶ−ＣＨとして前記メモリにプリセット記憶して登録し、２パートチャンネルのＶ−ＣＨについては、当該Ｖ−ＣＨのサブ値を前記メモリの同一メイン値の既登録の２パートチャンネルで未使用のサブ値に変更し、変更後のメイン値及びサブ値が形成する２パートチャンネルのＶ−ＣＨとして前記メモリにプリセット記憶して登録し、ＶＣＴが存在しないときには、物理チャンネル値のメイン値と、ＴＳに含まれるプログラム・マップ・テーブル（Pｒｏｇｒａｍ  Ｍａｐ  Ｔａｂｌｅ）のプログラム・ナンバー（Ｐｒｏｇｒａｍ  Ｎｕｍｂｅｒ）の順のサブ値とによってＶ−ＣＨを生成し、生成したＶ−ＣＨが前記メモリに未登録であれば生成したＶ−ＣＨとして前記メモリにプリセット記憶して登録し、生成したＶ−ＣＨが前記メモリに既登録であれば生成したＶ−ＣＨのサブ値を前記メモリの既登録の２パートチャンネルで未使用のサブ値に変更し、変更後のＶ−ＣＨとして前記メモリにプリセット記憶して登録することを特徴とする映像処理装置のチャンネルプリセット方法。
【請求項４】
ＶＣＴが存在しないときには、物理チャンネル値のメイン値と、ＴＳに含まれるプログラム・マップ・テーブル（Pｒｏｇｒａｍ  Ｍａｐ  Ｔａｂｌｅ）のプログラム・ナンバー（Ｐｒｏｇｒａｍ  Ｎｕｍｂｅｒ）の順のサブ値とによってＶ−ＣＨを生成する代わりに、前記選局周波数の物理チャンネル値のメイン値と、１から順のサブ値とによってＶ−ＣＨを生成することを特徴とする請求項３記載の映像処理装置のチャンネルプリセット方法。
【発明の詳細な説明】
【技術分野】
【０００１】
本発明は、米国等で実施されているＡＴＳＣ（Ａｄｖａｎｃｅｄ  Ｔｅｌｅｖｉｓｉｏｎ  Ｓｙｓｔｅｍｓ  Ｃｏｍｍｉｔｔｅｅ）方式のデジタルテレビ放送の受信機能を備えた映像処理装置及びそのチャンネルプリセット方法に関し、詳しくは、チャンネルに関連する情報が不足したり重複したりするような例外的な放送等にも対応した新規なチャンネルプリセットに関する。
【背景技術】
【０００２】
従来、米国等においてはＡＴＳＣ（Ａｄｖａｎｃｅｄ  Ｔｅｌｅｖｉｓｉｏｎ  Ｓｙｓｔｅｍｓ  Ｃｏｍｍｉｔｔｅｅ）方式のデジタルテレビ放送が実施（又は予定）されている。
【０００３】
このＡＴＳＣ方式のデジタルテレビ放送においては、アナログテレビ放送とは異なり、ＲＦ周波数（選局周波数）に対応する各物理チャンネルに１又は複数のサブチャンネルが存在し、各サブチャンネルには、物理チャンネルに対応する４桁のメイン（ｍａｊｏｒ）値のチャンネル番号と、サブ（ｍｉｎｏｒ）値のチャンネルの番号とで構成される仮想チャンネル（以下、Ｖ−ＣＨという）の番号が付与される。
【０００４】
更に、ＡＴＳＣ方式のデジタルテレビ放送では、１パート（ＯＮＥ−ＰＡＲＴ）チャンネルと、２パート（ＴＷＯ−ＰＡＲＴ）チャンネルとが定義されている。１パートチャンネルは前記メイン値のチャンネル番号で指定される従来のアナログテレビ放送のチャンネルと同様のチャンネルであり、２パートチャンネルは前記メイン値のチャンネル番号と前記サブ値のチャンネル番号とで指定されるチャンネルである。
【０００５】
そして、各サブチャンネルは、１パートチャンネルについてはサブ値を「０」として、それぞれ１パートチャンネル又は２パートチャンネルのＶ−ＣＨの番号が付与され、このＶ−ＣＨの番号で選局して受信復調できるようになっている。
【０００６】
次に、前記ＡＴＳＣ方式のデジタルテレビ放送においては、映像圧縮方式にＭＰＥＧ−２が採用され、音声圧縮方式にＡＣ−３が採用され、番組の映像、音声の信号はそれぞれの圧縮方式で帯域圧縮される。
【０００７】
そして、圧縮して符号化された１又は複数のサブチャンネルの映像、音声はトランスポートパケット（Ｔｒａｎｓｐｏｒｔ  Ｐａｃｋｅｔ）に分割され、トランスポートパケットが連続したトランスポートストリーム（Ｔｒａｎｓｐｏｒｔ  Ｓｔｒｅａｍ）（以下、ＴＳという）のデジタル信号として配信される。
【０００８】
このとき、前記ＴＳにより、映像、音声に加えて放送番組に関連する制御情報のデータも同時にパケット化されて送信される。前記制御情報には視聴制限、番組情報、文字放送の情報や前記Ｖ−ＣＨの情報等を有するＰＳＩＰ（Ｐｒｏｇｒａｍ  ａｎｄ  Ｓｙｓｔｅｍ  Ｉｎｆｏｒｍａｔｉｏｎ  Ｐｒｏｔｏｃｏｌ）が含まれる。
【０００９】
このようなＡＴＳＣ方式のデジタルテレビ放送を受信するテレビジョン受信機や映像記録再生装置等の映像処理装置には、従来、チャンネルプリセット機能を備えたものがある。
【００１０】
このチャンネルプリセット機能を備えた映像処理装置は、最初の電源投入に基づく自動のチャンネルプリセットやその後のメニュー選択のチャンネルプリセットにより、受信復調して得られた前記ＴＳの前記ＰＳＩＰを解析して番組特定情報（Ｐｒｏｇｒａｍ  Ｓｐｅｃｉｆｉｃ  Ｉｎｆｏｒｍａｔｉｏｎ）（以下、ＰＳＩという）のバーチャル・チャンネル・テーブル（Ｖｉｒｔｕａｌ  Ｃｈａｎｎｅｌ  Ｔａｂｌｅ）（以下、ＶＣＴという）を生成し、このＶＣＴの各Ｖ−ＣＨをプリセット記憶し、このプリセット記憶に基づき、チャンネルプリセット後には選局操作等で選択されたチャンネルを識別して当該チャンネルのデジタル放送を受信、復調する。
【００１１】
しかしながら、例えば米国のデジタルテレビ放送においては、Ｖ−ＣＨの情報が欠如している放送、不正なＶ−ＣＨの放送やＶ−ＣＨが重複する放送等の例外的な放送が存在する。
【００１２】
このような例外的な放送については、チャンネルプリセット機能を有する従来の前記映像処理装置では、適正なチャンネルプリセットが困難である。
【００１３】
すなわち、ＰＳＩＰ内の情報が欠如（不足）している放送、ＰＳＩＰ内にＶ−ＣＨが無くＰＭＴ（Ｐｒｏｇｒａｍ  Ｍａｐ  Ｔａｂｌｅ）内に存在するＶＣＴが不正な放送や、同一のＰＳＩＰを有する重複する放送等の例外的な放送は、正規の通常の放送とその他の点では変わりはなく、本来は受信可能であるにも関わらず、従来は、適正なチャンネルプリセットが行なえないため、チャンネルプリセット後にダイレクト選局で受信することができず、受信画面の表示や録画をすることができない。
【００１４】
そこで、例外的な放送の一例である、前記ＰＳＩＰが存在せず、前記ＶＣＴが得られないデジタルテレビ放送については、受信したＴＳに含まれるＰＡＴ（Ｐｒｏｇｒａｍ  Ａｓｓｏｃｉａｔｉｏｎ  Ｔａｂｌｅ）の下位層の各ＰＭＴを解析し、サブチャンネル番号を各ＰＭＴのパケット順のＩＤとしてＶ−ＣＨを生成し、このＶ−ＣＨを含む受信可能な（選択可能な）各Ｖ−ＣＨをＯＳＤ（Ｏｎ  Ｓｃｒｅｅｎ  Dｉｓｐｌａｙ）表示してチャンネルプリセットの受信を可能にすることが提案されている（例えば、特許文献１参照）。
【００１５】
なお、ＴＳは概略ＰＡＴとＰＳＩＰとで構成され、そのＰＡＴは図１１に模式的に示す構造である。同図のＰＡＴα１はＴＳ内の全ＰＭＴα２１、α２２、…を含み、各ＰＭＴα２１、α２２、…は１チャンネル分の映像、音声、時間情報のストリームα３１、α３２、α３３を含み、更に、ＶＣＴが存在する場合もある。このＰＭＴα２１、α２２、…に存在するＶＣＴはＰＳＩＰに存在するＶＣＴ内の１チャンネル分のデータを含みＶ−ＣＨの情報も含む。
【００１６】
又、１つのＴＳの各ＰＭＴα２１、α２２、…には図１１に「ｐｒｏｇｒａｍ  ＮＯ．」で示す順次のプログラムナンバー（Ｐｒｏｇｒａｍ  Ｎｕｍｂｅｒ）（以下、Ｐ−ＮＵＭという）が付され、このＰ−ＮＵＭはＶＣＴ内にも存在し、ＡＴＳＣ方式の規格上、対応するＶＣＴの対応する各チャンネル情報とＰＭＴα２１、α２２、…とは同じＰ−ＮＵＭでなければならないことになっている。
【００１７】
更に、ＰＡＴ、ＰＭＴ及びＰＭＴ内の映像（Ｖｉｄｅｏ）、音声（Ａｕｄｉｏ）、時刻情報（ＰＣＲ：Ｐｒｏｇｒａｍ  Ｃｌｏｃｋ  Ｒｅｆｅｒｅｎｃｅ）のストリームα３１〜α３３等には、それぞれＰＩＤ（Ｐａｃｋｅｔ  Ｉｄｅｎｔｉｆｉｅｒ）と呼ばれるＩＤが付される。
【００１８】
又、ＶＣＴは基本的にＰＳＩＰ内に存在し、このＶＣＴは地上波とＣＡＴＶとで区別する場合、地上波についてはＴＶＣＴ（Ｔｅｒｒｅｓｔｒｉａｌ  Ｖｉｒｔｕａｌ  Ｃｈａｎｎｅｌ  Ｔａｂｌｅ）と表記され、ＣＡＴＶのケーブル信号についてはＣＶＣＴ（Ｃａｂｌｅ  Ｖｉｒｔｕａｌ  Ｃｈａｎｎｅｌ  Ｔａｂｌｅ）と表記される。そして、ＰＳＩＰ内のＶＣＴは概略図１２に模式的に示す構造である。同図のＶＣＴβ１は、各１チャンネルのユニットβ２１、β２２、…に各チャンネルのＶ−ＣＨと、このＶ−ＣＨで使用されるＰＭＴのＰ−ＮＵＭと、ＰＩＤが書き込まれる。
【００１９】
一方、わが国の地上波デジタルテレビ放送を受信する受信装置において、チャンネルプリセット時、ユーザが指定する地域のチャンネル番号に複数の放送が重複するときは、重複している放送に枝番号を付加してチャンネル番号を異ならせることが提案されている（例えば、特許文献２参照）。
【００２０】
又、上述のようにして重複する放送に枝番号を付加した場合に、その番号一覧を表示して重複する放送の選択を可能にし、また、リモコンの空き番号に重複する放送を割り当てることも提案されている（例えば、特許文献３参照）。
【特許文献１】特開２００２−３４４８３８号公報（要約書、段落［０００９］、［００２３］−［００２６］、図１、図４等）
【特許文献２】特開２００４−３４３２３５号公報（要約書、段落［００２３］−［００２８］、図１、図３等）
【特許文献３】特開２００４−２２２０４９号公報（段落［００２７］−［００３３］、図１、図３等）
【発明の開示】
【発明が解決しようとする課題】
【００２１】
前記特許文献１に記載のチャンネルプリセットの場合、前記ＰＳＩＰが存在する同じＶ−ＣＨの放送はそのまま重複してチャンネルプリセットする問題があり、とくに１パートチャンネルの同一のＶ−ＣＨの放送が複数個存在するときには全てを同じ１パートチャンネルに重複してプリセットしてしまう問題がある。又、前記ＰＳＩＰが存在せずＰＳＩＰからはＶＣＴが得られない放送については、そのような放送が多数存在するような場合等に同じチャンネルに複数の放送を重複してプリセットしたり、ＰＭＴの不正なＶ−ＣＨを誤ってプリセットするおそれがあり、ＭＰＥＧ−２のデータ取得条件等によってはプリセットするＶ−ＣＨがチャンネルプリセット毎に入れ替ったりするおそれもある。
【００２２】
一方、前記特許文献２、３に記載のチャンネルプリセットは、重複するチャンネルを枝番を付し区別してプリセットするものであるため、このチャンネルプリセットを、米国等のＡＴＳＣ方式のデジタルテレビ放送のチャンネルプリセットに適用しようとすると、プリセットするＶ−ＣＨの桁数が枝番号の桁の分更に多くなり、重複する放送が多数存在する地域等では、枝番号の桁数が多くなってチャンネル管理等が複雑で困難になる。しかも、Ｖ−ＣＨの情報が欠如している放送や不正なＶ−ＣＨの放送等のチャンネルプリセットには対応できない。
【００２３】
すなわち、ＡＴＳＣ方式のデジタルテレビ放送のチャンネルプリセット機能を有する従来のこの種の映像処理装置は、Ｖ−ＣＨの情報が欠如している放送、不正なＶ−ＣＨの放送やチャンネルが重複する放送、すなわち、チャンネルに関連する情報が不足した重複したりするような例外的な放送を含む配信されている全ての受信可能な放送を漏れなく適切にチャンネルプリセットすることができない。
【００２４】
本発明は、ＡＴＳＣ方式のデジタルテレビ放送の受信機能を備えた映像処理装置において、チャンネルに関連する情報が不足したり重複したりするような例外的な放送を含む受信可能な全てのデジタルテレビ放送をチャンネルの重複等なく漏れなく適切にチャンネルプリセットすることを目的とする。
【課題を解決するための手段】
【００２５】
上記した目的を達成するために、本発明の映像処理装置は、ＡＴＳＣ方式のデジタルテレビ放送の受信機能を備えた映像処理装置において、前記受信機能のチャンネルプリセットにより、選局周波数を昇降可変してＴＳを受信復調するか否かを検出する有局検出手段と、前記有局検出手段がＴＳの受信復調を検出する毎に受信復調したＴＳのＰＳＩＰにＶＣＴが存在するか否かを判別するＶＣＴ有無判別手段と、前記ＶＣＴ有無判別手段のＶＣＴ有りの判別により、前記ＶＣＴのメイン（Ｍａｊｏｒ）値及びサブ（Ｍｉｎｏｒ）値が形成するＶ−ＣＨはチャンネルプリセット用のメモリに既登録か否かを判別する登録有無判別手段と、前記登録有無判別手段の未登録の判別により当該Ｖ−ＣＨを前記メモリにプリセット記憶して登録する基本登録処理手段と、前記登録有無判別手段の既登録の判別により当該Ｖ−ＣＨが１パートチャンネルか２パートチャンネルかを識別するチャンネル種別識別手段と、該チャンネル種別識別手段の１パートチャンネルの識別により、当該Ｖ−ＣＨのメイン値を前記選局周波数に対応した物理チャンネル値に変更して修正し、かつ、サブ値を前記メモリの同一メイン値の既登録の２パートチャンネルで未使用のサブ値に変更し、変更後の２パートチャンネルのＶ−ＣＨとして前記メモリにプリセット記憶して登録し、前記チャンネル種別識別手段の２パートチャンネルの識別により、当該Ｖ−ＣＨのサブ値を前記メモリの同一メイン値の既登録の２パートチャンネルで未使用のサブ値に変更し、変更後のメイン値及びサブ値が形成する２パートチャンネルのＶ−ＣＨとして前記メモリにプリセット記憶して登録する第１の例外登録処理手段と、前記ＶＣＴ有無判別手段のＶＣＴ無しの判別により、前記物理チャンネル値のメイン値と、ＴＳに含まれるＰＡＴのPＭＴのＰ−ＮＵＭの順のサブ値とによってＶ−ＣＨを生成し、生成したＶ−ＣＨが前記メモリに未登録であれば生成したＶ−ＣＨとして前記メモリにプリセット記憶して登録し、生成したＶ−ＣＨが前記メモリに既登録であれば生成したＶ−ＣＨのサブ値を前記メモリの既登録の２パートチャンネルで未使用のサブ値に変更し、変更後のＶ−ＣＨとして前記メモリにプリセット記憶して登録する第２の例外登録処理手段とを備えたことを特徴としている（請求項１）。
【００２６】
又、本発明の映像処理装置は、前記第２の例外登録処理手段が、前記ＶＣＴ有無判別手段のＶＣＴ無しの判別により、前記選局周波数の物理チャンネル値のメイン値と、ＴＳに含まれるPＭＴのＰ−ＮＵＭの順のサブ値とによってＶ−ＣＨを生成することに代えて、前記選局周波数の物理チャンネル値のメイン値と、１から順のサブ値とによってＶ−ＣＨを生成するようにしたことを特徴としている（請求項２）。
【００２７】
次に、本発明の映像処理装置のチャンネルプリセット方法は、ＡＴＳＣ方式のデジタルテレビ放送の受信機能を備えた映像処理装置のチャンネルプリセット方法において、選局周波数を昇降可変してＴＳを受信復調する毎に、受信復調したＴＳのＰＳＩＰにＶＣＴが存在するか否かを判別し、ＶＣＴが存在するときには、当該ＶＣＴのメイン（Ｍａｊｏｒ）値及びサブ（Ｍｉｎｏｒ）値が形成するＶ−ＣＨはチャンネルプリセット用のメモリに既登録か否かを判別し、未登録であれば当該Ｖ−ＣＨを前記メモリにプリセット記憶して登録し、既登録であれば当該Ｖ−ＣＨが１パートチャンネルか２パートチャンネルかを識別し、１パートチャンネルのＶ−ＣＨについては、当該Ｖ−ＣＨのメイン値を前記選局周波数に対応した物理チャンネル値に変更して修正し、かつ、サブ値を前記メモリの同一メイン値の既登録の２パートチャンネルで未使用のサブ値に変更し、変更後の２パートチャンネルのＶ−ＣＨとして前記メモリにプリセット記憶して登録し、２パートチャンネルのＶ−ＣＨについては、当該Ｖ−ＣＨのサブ値を前記メモリの同一メイン値の既登録の２パートチャンネルで未使用のサブ値に変更し、変更後のメイン値及びサブ値が形成する２パートチャンネルのＶ−ＣＨとして前記メモリにプリセット記憶して登録し、ＶＣＴが存在しないときには、選局周波数の物理チャンネル値のメイン値と、ＴＳに含まれるPＭＴのＰ−ＮＵＭの順のサブ値とによってＶ−ＣＨを生成し、生成したＶ−ＣＨが前記メモリに未登録であれば生成したＶ−ＣＨとして前記メモリにプリセット記憶して登録し、生成したＶ−ＣＨが前記メモリに既登録であれば生成したＶ−ＣＨのサブ値を前記メモリの既登録の２パートチャンネルで未使用のサブ値に変更し、変更後のＶ−ＣＨとして前記メモリにプリセット記憶して登録することを特徴としている（請求項３）。
【００２８】
又、本発明の映像処理装置のチャンネルプリセット方法は、ＶＣＴが存在しないときには、物理チャンネル値のメイン値と、ＴＳに含まれるPＭＴのＰ−ＮＵＭの順のサブ値とによってＶ−ＣＨを生成する代わりに、前記選局周波数の物理チャンネル値のメインと、１から順のサブ値とによってＶ−ＣＨを生成することを特徴としている（請求項４）。
【発明の効果】
【００２９】
まず、請求項１、３の発明によれば、チャンネルプリセットにおいて、ＰＳＩＰにＶＣＴが存在するＡＴＳＣ方式の正常な放送は、そのＶＣＴのＶ−ＣＨが正規の正しいチャンネル情報である。
【００３０】
そのため、このような放送については、（１）チャンネルプリセット用のメモリに同じＶ−ＣＨが登録されていなければ、重複するチャンネルがプリセットされていないので、前記ＶＣＴのＶ−ＣＨをプリセット記憶して登録する。（２）チャンネルプリセット用のメモリに同じＶ−ＣＨが既に登録されていれば、チャンネルの重複を防止するため、Ｖ−ＣＨが１パートチャンネルか２パートチャンネルかを識別し、１パートチャンネルのＶ−ＣＨについては、当該Ｖ−ＣＨのメイン値を選局周波数に対応した物理チャンネル値に変更して修正し、サブ値を前記メモリの同一メイン値の既登録の２パートチャンネルで未使用のサブ値に変更し、変更後の２パートチャンネルのＶ−ＣＨとして前記メモリにプリセット記憶して登録し、２パートチャンネルのＶ−ＣＨについては、当該Ｖ−ＣＨのサブ値を前記メモリの同一メイン値の既登録の２パートチャンネルで未使用のサブ値に変更し、変更後のメイン値及びサブ値が形成する２パートチャンネルのＶ−ＣＨとして前記メモリにプリセット記憶して登録する。
【００３１】
このようにすることで、Ｖ−ＣＨが重複する例外的な放送について、１パートチャンネル、２パートチャンネルのいずれであっても、重複等なく適切にチャンネルプリセットすることができる。
【００３２】
一方、ＰＳＩＰにＶＣＴが存在せず、Ｖ−ＣＨが欠如したり、不正であったりする放送については、選局周波数に対応した物理チャンネル値で形成されるメイン値と、受信復調したＴＳに含まれるPＭＴのＰ−ＮＵＭの順のサブ値とからなる新たなＶ−ＣＨを生成する。
【００３３】
そして、（３）生成したＶ−ＣＨがプリセットメモリに未登録であれば、生成したＶ−ＣＨの放送として前記メモリにプリセット記憶して登録する。（４）生成したＶ−ＣＨが前記メモリに既登録であれば、重複を防止するため、生成したＶ−ＣＨのサブ値を前記メモリの既登録の２パートチャンネルで未使用のサブ値に変更し、変更後のＶ−ＣＨの放送として前記メモリにプリセット記憶して登録する。
【００３４】
このようにすることで、ＰＳＩＰにＶＣＴが存在せず、チャンネルに関する情報が欠落してＶ−ＣＨのない放送や、ＰＭＴのＶＣＴから得られるＶ−ＣＨが不正な放送についても、重複等なく２パートチャンネルとして適切にチャンネルプリセットすることができる。
【００３５】
したがって、ＡＴＳＣ方式のデジタルテレビ放送の受信機能を有する映像処理装置において、チャンネルに関連する情報が不足したり重複したりするような例外的な放送を含む受信可能な全ての放送をチャンネルの重複等なく漏れなく適切にチャンネルプリセットすることができる。
【００３６】
又、請求項２、４の発明によれば、Ｖ−ＣＨの情報が欠如等しているＡＴＳＣ方式の放送について、選局周波数に対応した物理チャンネル値で形成されるメイン値と、１から順のサブ値とからなる新たなＶ−ＣＨを生成することにより、処理を簡単にして請求項１、３の発明と同様の効果を奏することができる。
【発明を実施するための最良の形態】
【００３７】
次に、本発明をより詳細に説明するため、その実施形態について、図１〜図１０にしたがって詳述する。
【００３８】
（一実施形態）
まず、請求項１、３に対応する一実施形態について、図１〜図７を参照して説明する。
【００３９】
図１は映像処理装置としてのテレビジョン受信機１の要部のブロック構成を示し、図２〜図４はテレビジョン受信機１のチャンネルプリセット処理のフローチャートである。
【００４０】
図５は最初の電源投入時（初回起動時）にテレビジョン受信機１の画面表示部７に表示されるチャンネルプリセットを促す画面７ａを示し、図６はユーザの選択操作によって画面表示部７に表示されるメニュー画面７ｂを示す。図７はチャンネルプリセット中の画面表示部７の画面７ｃを示す。
【００４１】
（構成）
図１のテレビジョン受信機１はＡＴＳＣ方式のデジタルテレビ放送の受信機能を備えた米国仕様のテレビジョン受信機であり、同図において、２はアンテナ又はＣＡＴＶケーブルに接続された受信復調部であり、チューナ及びその後段のデジタル復調処理を行なうフロントエンド部等からなり、アンテナ受信又はケーブル入力の選局チャンネルのＲＦ信号を受信してデジタル復号処理し、当該チャンネルの受信復調したＴＳを出力する。
【００４２】
３は受信復調部２の受信選局を制御する選局制御部であり、不揮発性のチャンネルプリセット用のメモリ４の各Ｖ−ＣＨのチャンネル情報に基づき、受信復調部２をユーザ操作、タイマ受信制御のダイレクト選局によって指定されたＶ−ＣＨのデジタルテレビ放送の受信復調及び、チャンネルプリセット時の選局周波数の昇降可変に基づく受信復調に制御する。
【００４３】
５は受信復調部２の後段の映像・音声デコーダ部であり、受信復調部２で受信復調されたＴＳのＭＰＥＧ−２方式で圧縮された映像、ＡＣ−３方式で圧縮された音声を、ベースバンドの映像、音声のデジタル信号に復調する。
【００４４】
６は映像・音声デコーダ部５の後段の映像処理部であり、映像のデジタル信号のデジタル／アナログ変換等を行なって画面表示出力を形成する。７は液晶ディスプレイ、プラズマディスプレイ又はＣＲＴからなる画面表示部であり、映像処理部６の画面表示出力に基づいて、受信した映像を画面表示する。
【００４５】
８は映像・音声デコーダ部５の後段の音声処理部であり、音声のデジタル信号のデジタル／アナログ変換等を行なって音声信号を形成する。９はスピーカ等からなる音声出力部であり、音声処理部８の音声信号に基づき、受信した音声を出力する。
【００４６】
１０はＰＳＩＰ検出部であり、受信復調部２で受信復調されたＴＳのＰＳＩＰを検出する。１１はＰＳＩＰ検出部１０の後段のチャンネル検出部であり、本発明のＶＣＴ有無判別手段を形成し、ＰＳＩＰにＶＣＴが存在するか否かを判別すると共にＶＣＴのメイン（Ｍａｊｏｒ）値及びサブ（Ｍｉｎｏｒ）値が形成するＶ−ＣＨの情報を出力する。
【００４７】
１２はチャンネルプリセット処理部であり、選局制御部３、ＰＳＩＰ検出部１０、チャンネル検出部１１と同様、マイクロコンピュータのソフトウエア処理で形成され、本発明の有局検出手段、登録有無判別手段、チャンネル種別識別手段、基本登録処理手段、第１、第２の例外登録処理手段を形成する。
【００４８】
そして、前記有局検出手段は、テレビジョン受信機１の最初の電源投入時の開始選択又は、ユーザ操作により画面表示部７に表示されたメニュー画面からの機能選択時により、チャンネルプリセットが指令されたときに、選局制御部３を介して受信復調部２の選局周波数を昇順或いは降順に掃引して昇降可変し、この選局周波数の昇降可変中に受信復調部２がデジタルテレビ放送に復調同期するか否かにより、受信復調部２がＴＳを受信復調するか否かを検出する。
【００４９】
尚、最初に電源を投入したとき（初回起動時）は、画面表示部７に自動的にチャンネルプリセットを促す例えば図５の画面７ａが表示され、画面７ａの左下隅の上向き、下向き白抜きの三角マークｍａ、ｍｂをクリックして画面中央の左右方向のストライプｍｃを上下動して中央の「ＳＴＡＲＴ」に合わせ、画面右下の「ＳＥＴ」ｍｄをクリックすることによって、チャンネルプリセットが始まる。
【００５０】
又、その後は、ユーザ操作で画面表示部７に各種機能のメニュー選択の画面７ｂを表示し、この画面７ｂの左下隅の三角マークｍａ、ｍｂをクリックして画面中央の左右方向のストライプｍｃを上下動して「ＡＵＴＯ  ＣＨ  ＭＥＭＯＲＹ」に合わせ、画面右下の「ＡＤＪＵＳＴ」ｍｅをクリックすることによって、チャンネルプリセットが始まる。
【００５１】
更に、チャンネルプリセットの処理中は、画面表示部７に例えば図７の処理中を示す画面７ｃが表示され、この画面７ｃの左右方向のストライプｍｆがチャンネルプリセットの進行にしたがって画面右方向に伸びて進捗状況が躍動的に表示される。
【００５２】
前記登録有無判別手段は、前記有局検出手段がＴＳの受信復調を検出する毎に、チャンネル検出部１１のＶＴＣ有りの判別により、ＶＣＴのメイン（Ｍａｊｏｒ）値及びサブ（Ｍｉｎｏｒ）値のＶ−ＣＨがチャンネルプリセット用のメモリ４に既登録か否かを判別する。
【００５３】
前記基本登録処理手段は、登録有無判別手段の未登録の判別により当該Ｖ−ＣＨをそのままチャンネルプリセット用のメモリ４にプリセット記憶して登録する。
【００５４】
前記チャンネル種別識別手段は、前記登録有無判別手段の既登録の判別に基づき、当該Ｖ−ＣＨがメモリ４に既に登録されているときに、受信中の放送のＶ−ＣＨの桁数が４桁かそれ以上かによって、当該Ｖ−ＣＨが１パートチャンネルか２パートチャンネルかを識別する。
【００５５】
前記第１の例外登録処理手段は、既登録のＶ−ＣＨとの重複登録を防止する手段であり、（１）前記チャンネル種別識別手段が１パートチャンネルと識別したときには、受信中の放送のＶ−ＣＨのメイン値を選局周波数に対応した物理チャンネル値に変更して修正し、かつ、同じＶ−ＣＨでの重複登録を防止するため、当該Ｖ−ＣＨのサブ値をメモリ４の前記物理チャンネル値と同一メイン値の既登録の２パートチャンネルで未使用のサブ値（具体的には、既登録の同一メイン値の最大のサブ値＋１）に変更し、変更後のメイン値及びサブ値が形成する２パートチャンネルのＶ−ＣＨとして前記メモリにプリセット記憶して登録する。（２）前記チャンネル種別識別手段が２パートチャンネルと識別したときには、受信中の放送のＶ−ＣＨのサブ値をメモリ４の当該Ｖ−ＣＨと同一メイン値の既登録の２パートチャンネルで未使用のサブ値（具体的には、既登録の最大のサブ値＋１）に変更し、変更後のメイン値及びサブ値が形成する２パートチャンネルのＶ−ＣＨとして前記メモリにプリセット記憶して登録する。
【００５６】
前記第２の例外登録処理手段は、ＰＳＩＰのＶＣＴが欠落している場合のＶ−ＣＨの登録手段であり、前記ＶＣＴ有無判別手段がＶＣＴ無しと判別したときに、選局周波数の物理チャンネル値が形成するメイン値と、受信復調中のＴＳに含まれるＰＡＴのPＭＴに付されたＰ−ＮＵＭの順のサブ値とによって、新たなＶ−ＣＨを生成する。（３）そして、生成したＶ−ＣＨがメモリ４に未登録であれば生成したＶ−ＣＨとしてメモリ４にプリセット記憶して登録する。（４）生成したＶ−ＣＨがメモリ４に既登録であれば当該Ｖ−ＣＨのサブ値をメモリ４の既登録の２パートチャンネルで未使用のサブ値（具体的には、既登録の同一メイン値の最大のサブ値＋１）に変更し、変更後のＶ−ＣＨとしてメモリ４にプリセット記憶して登録する。
【００５７】
この場合、受信復調したＴＳのＰＳＩＰ内にＶ−ＣＨが存在せず、ＰＭＴに含まれるＶＣＴのＶ−ＣＨが不正な放送についても、前記第２の例外登録処理手段によって、選局周波数の物理チャンネル値が形成するメイン値と、受信復調中のＴＳのPＭＴに付されたＰ−ＮＵＭの順のサブ値とによって、新たなＶ−ＣＨを生成してメモリ４にプリセット記憶し、登録する。
【００５８】
尚、メモリ４にプリセット記憶する各Ｖ−ＣＨは、実際には、チャンネルプリセットが終了するまで、チャンネルプリセット処理部１２のチャンネルデータベースのレジスタ（以下、ＣＨ−ＤＢという）（図示せず）に一時的に保持し、チャンネルプリセットの終了時に、ＣＨ−ＤＢからメモリ４に転送して書き込む。
【００５９】
（動作）
以上の構成の基づき、テレビジョン受信機１はチャンネルプリセット時に、チャンネルプリセット処理部１２の各手段の制御処理によって図２〜図４のステップＳ１〜Ｓ２８に示すように動作する。
【００６０】
すなわち、チャンネルプリセット処理部１２にチャンネルプリセットが指令されてチャンネルプリセットが始まると、前記有局検出手段が動作し、図２のステップＳ１により選局制御部３を介して受信復調部２の選局周波数が初期設定の周波数に設定され、その後、受信復調部２が新たなデジタルテレビ放送を受信するまで、ステップＳ２〜Ｓ４のループ処理によって前記選局周波数を掃引制御して昇順又は降順に昇降可変することを、全選局周波数範囲の下限から上限まで又はその逆に繰り返す。
【００６１】
そして、前記選局周波数の昇降可変によって受信復調部２がデジタルテレビ放送を受信してＴＳを復調すると、図２のステップＳ２からステップＳ５に移行して前記ＶＣＴ有無判別手段が動作し、受信復調したＴＳのＰＳＩＰにＶＣＴが存在するか否かを判別する。
【００６２】
このとき、ＰＳＩＰにＶＣＴが存在していると、ステップＳ５から図３のステップＳ６に移行して前記登録有無判別手段が動作する。
【００６３】
そして、未登録のＶ−ＣＨであれば、ステップＳ６からステップＳ７に移行して基本登録処理手段が動作し、ステップＳ７、Ｓ８により当該Ｖ−ＣＨをそのまま前記ＣＨ−ＤＢに保持し、その後、図２のステップＳ９によりＣＨ−ＤＢの内容をメモリ４に転送し、メモリ４にプリセット記憶して登録する。尚、実際には、誤登録を極力防止するため、ステップＳ７において、Ｖ−ＣＨが２パートチャンネルを示していると、当該Ｖ−ＣＨをＶＣＴのメイン値、サブ値のチャンネルに決定し、１パートチャンネルを示していると、当該Ｖ−ＣＨをＶＣＴのメイン値と「０」のサブ値とのチャンネルに決定し、決定したＶ−ＣＨをステップＳ８でＣＨ−ＤＢに書き込む。
【００６４】
一方、既登録のＶ−ＣＨであれば、図３のステップＳ６からステップＳ１０に移行して前記チャンネル種別識別手段が動作し、更に、プリセットチャンネルの重複登録を防止するため、前記第１の例外登録処理手段が動作する。
【００６５】
そして、１パートチャンネルであれば、ステップＳ１０からステップＳ１１に移行し、当該Ｖ−ＣＨのメイン値を受信中の選局周波数に対応した物理チャンネル値に変更して修正し、かつ、サブ値をメモリ４の変更したメイン値と同一メイン値の既登録の２パートチャンネルの最大のサブ値＋１に変更し、ステップＳ１２を介してステップＳ８により、変更後の２パートチャンネルのＶ−ＣＨとして前記ＣＨ−ＤＢに保持し、その後、図２のステップＳ９によりＣＨ−ＤＢの内容をメモリ４に転送し、メモリ４にプリセット記憶して登録する。尚、ステップＳ１２では重複登録を確実に防止するため、変更後のＶ−ＣＨと同一のＶ−ＣＨがＣＨ−ＤＢに既に登録されているか否かを確認し、同じＶ−ＣＨが既に登録されているときには、ステップＳ１３に移行して変更後のＶ−ＣＨのサブ値を更にずらして修正し、修正後のＶ−ＣＨをＣＨ−ＤＢに書き込んで登録する。
【００６６】
一方、２パートチャンネルであれば、ステップＳ１０からステップＳ１４に移行し、当該Ｖ−ＣＨのサブ値をメモリ４の同一メイン値の既登録の２パートチャンネルの最大のサブ値＋１に変更し、ステップＳ１２を介してステップＳ８により、変更後の２パートチャンネルのＶ−ＣＨとして前記ＣＨ−ＤＢに保持し、その後、図２のステップＳ９によりＣＨ−ＤＢの内容をメモリ４に転送し、メモリ４にプリセット記憶して登録する。尚、重複登録を確実に防止するため、２パートチャンネルのときにも、ステップＳ１２、Ｓ１３によって、変更後のＶ−ＣＨに必要な修正を施す。
【００６７】
そして、１パートチャンネル、２パートチャンネルのいずれであっても、ステップＳ８又はステップＳ１３によってＣＨ−ＤＢに変更後のＶ−ＣＨを登録すると、ＶＣＴの全てのＶ−ＣＨについて処理が終了するまで、ステップＳ１５からステップＳ１６を通ってステップＳ６に戻り、各Ｖ−ＣＨについて同様の処理を繰り返す。
【００６８】
ところで、ＶＣＴの全てのＶ−ＣＨについて処理が終了すると、ステップＳ１５から図４のステップＳ１７に移行して後述の不正なＶ−ＣＨの処理に移行する。
【００６９】
次に、図２のステップＳ５において、受信復調されたＴＳのＰＳＩＰにＶＣＴが存在しないときは、ＶＣＴ有無判別手段のＶＣＴ無しの判別に基づき、前記第２の例外登録処理手段が動作する。
【００７０】
そして、受信復調したＴＳのＰＡＴにＰＭＴが含まれていると、ステップＳ１８からステップＳ１７を介してステップＳ１９に移行し、最初のＰＭＴについてＶＣＴを含んでいるか否かを判別する。
【００７１】
更に、ＰＭＴがＶＣＴを含まない通常の場合は、ステップＳ１９からステップＳ２０に移行し、選局周波数の物理チャンネル値のメイン値と、PＭＴのＰ−ＮＵＭの順のサブ値とによってＶ−ＣＨを生成する。
【００７２】
そして、ステップＳ２１に移行して生成したＶ−ＣＨがメモリ４に既に登録されているか否かを判断し、未登録で重複のおそれがなければ、ステップＳ２２により、生成したＶ−ＣＨを前記ＣＨ−ＤＢに保持し、その後、図２のステップＳ９によりＣＨ−ＤＢの内容をメモリ４に転送し、メモリ４にプリセット記憶して登録する。尚、重複登録を確実に防止するため、生成したＶ−ＣＨと同一のＶ−ＣＨがＣＨ−ＤＢに既に登録されているときは、ステップＳ２１からステップＳ２３に移行し、生成したＶ−ＣＨのサブ値を更に＋１ずらして修正し、修正後のＶ−ＣＨをＣＨ−ＤＢに書き込んで登録する。
【００７３】
そして、ステップＳ２２又はステップＳ２３、さらにステップＳ２４からステップＳ２５を介してステップＳ１９に戻り、ＰＡＴの全てのＰＭＴについて、ＶＣＴが存在しないか、存在してもＶＣＴとＰＭＴのＰ−ＮＵＭが等しいことを条件として、Ｖ−ＣＨを生成する。
【００７４】
ところで、ＰＭＴにＶＣＴが存在し、それらのＰ−ＮＵＭが異なり、しかも、それらの映像（Ｖｉｄｅｏ）、音声（Ａｕｄｉｏ）、時間情報（ＰＣＲ）のＰＩＤも異なる場合は、ＰＭＴに存在するＶＣＴのＶ−ＣＨは不正である。
【００７５】
そこで、このような場合、図４のステップＳ１９からステップＳ２６〜Ｓ２８を通ってステップＳ２０に移行し、ＰＭＴに存在するＶＣＴのＶ−ＣＨではなく、選局周波数の物理チャンネル値のメイン値と、PＭＴのＰ−ＮＵＭの順のサブ値とによって生成したＶ−ＣＨを登録する。
【００７６】
そして、選局周波数範囲の受信可能な全ての放送について、上述のようにしてＶ−ＣＨを前記ＣＨ−ＤＢに登録し終えると、図２のステップＳ９によりＣＨ−ＤＢに登録された各Ｖ−ＣＨをメモリ４に転送し、メモリ４に書き込んでチャンネルプリセットを終了する。尚、実際には、メモリ４に転送する前に、例えば各Ｖ−ＣＨを選局周波数の順（ＲＦ順）にソートして並べ、重複の無いことを確認してからメモリ４に転送し、チャンネルプリセットの精度を高める。又、ＣＨ−ＤＢはその後記憶を消去する。
【００７７】
したがって、例えば同一メイン値の２パートチャンネルのＶ−ＣＨの放送が複数存在する場合は、サブ値をＰ−ＮＵＭの昇順で＋１、＋２、…と追加することによって、下記表１、表２のようなチャンネルプリセットが行なわれる。
【００７８】
【表１】
2008154148.tif 000003
【００７９】
【表２】
2008154148.tif 000004
【００８０】
更に、ＰＳＩＰにＶＣＴが存在する１パートチャンネルの放送及び、ＰＳＩＰにＶＣＴが無い放送が存在するような場合は、ＶＣＴが存在する１パートチャンネルはそのまま登録し、それ以外は選局周波数のメイン値とＰ−ＮＵＭとから生成したＶ−ＣＨで登録し、例えば下記表３のようなチャンネルプリセットが行なわれる。
【００８１】
【表３】
2008154148.tif 000005
【００８２】
尚、前記各表において、「Ｉｎｄｅｘ」はプリセット順の番号、「ＲＦ」はメイン値（物理チャンネル値）、「ＳＲＣ」はプリセットの情報源、「プリセットＣＨ」はメモリ４にプリセットされたＶ−ＣＨである。
【００８３】
そして、上記各表からも明らかなように、本実施形態の場合、Ｖ−ＣＨが重複する例外的な放送について、１パートチャンネル、２パートチャンネルのいずれであっても、重複等なく適切にチャンネルプリセットすることができる。又、ＰＳＩＰにＶＣＴが存在せず、チャンネルに関する情報が欠落してＶ−ＣＨのない放送や、ＰＭＴのＶＣＴから得られるＶ−ＣＨが不正な放送についても、重複等なく２パートチャンネルとして適切にチャンネルプリセットすることができる。
【００８４】
したがって、ＡＴＳＣ方式のデジタルテレビ放送の受信機能を有する映像処理装置において、チャンネルに関連する情報が不足したり重複したりするような例外的な放送を含む受信可能な全ての放送をチャンネルの重複等なく漏れなく適切にチャンネルプリセットすることができる。
【００８５】
（他の実施形態）
次に、請求項２、４に対応する他の実施形態について、図１及び図８〜図１０を参照して説明する。
【００８６】
図８〜図１０はテレビジョン受信機１のチャンネルプリセット処理のフローチャートである。
【００８７】
そして、本実施形態において、前記一実施形態と異なる点は、図１のテレビジョン受信機１のチャンネルプリセット処理部１２が備える第２の例外登録処理手段が、物理チャンネル値のメイン値と、ＴＳに含まれるPＭＴのＰ−ＮＵＭの順のサブ値とによってＶ−ＣＨを生成する代わりに、選局周波数の物理チャンネル値のメインと、１から順のサブ値とによってＶ−ＣＨを生成する点である。
【００８８】
この場合、テレビジョン受信機１はチャンネルプリセット時に、チャンネルプリセット処理部１２の各手段の制御処理によって図８〜図１０のステップＱ１〜Ｑ２８に示すように動作する。
【００８９】
そして、ステップＱ１〜Ｑ１９、Ｑ２１〜Ｑ２８の処理は、図２〜図４のステップＳ１〜Ｓ１９、Ｓ２１〜Ｓ２８の処理と同一であり、異なる点は図４のステップＳ２０に対応するステップＱ２０において、受信復調されたＴＳのＰＳＩＰにＶＣＴが存在しないときに、ＰＭＴがＶＣＴを含まない通常の場合、選局周波数の物理チャンネル値のメイン値と、１から順のサブ値とによって新たなＶ−ＣＨを生成する点であり、具体的にはＣＨ−ＤＢの同一メイン値のＶ−ＣＨの最大のサブ値＋１をサブ値とする簡単な処理で新たなＶ−ＣＨを生成する。
【００９０】
したがって、本実施形態の場合は、前記一実施形態の場合より簡単な制御処理によって前記一実施形態の場合と同様の効果を奏する。
【００９１】
そして、本発明は上述した両実施形態に限定されるものではなく、その趣旨を逸脱しない範囲において上述したもの以外に種々の変更を行うことが可能であり、例えば、チャンネルプリセット処理部１２の制御処理の手順等が前記両実施形態と異なっていてもよいのは勿論である。
【００９２】
そして、本発明は、ＡＴＳＣ方式のデジタルテレビ放送の受信機能を有する、独立タイプ及び内蔵（組み込み）タイプの種々の映像処理装置に適用することができる。
【図面の簡単な説明】
【００９３】
【図１】本発明の一実施形態におけるテレビジョン受信機の要部の回路ブロック図である。
【図２】同上、テレビジョン受信機のチャンネルプリセットの動作説明用の一部のフローチャートである。
【図３】同上、テレビジョン受信機のチャンネルプリセットの動作説明用の他の一部のフローチャートである。
【図４】同上、テレビジョン受信機のチャンネルプリセットの動作説明用の更に他の一部のフローチャートである。
【図５】同上、テレビジョン受信機の最初の電源投入時のチャンネルプリセットを促す画面の説明図である。
【図６】同上、テレビジョン受信機のメニュー画面の説明図である。
【図７】同上、テレビジョン受信機のチャンネルプリセット中の画面の説明図である。
【図８】本発明の他の実施形態におけるテレビジョン受信機のチャンネルプリセットの動作説明用の一部のフローチャートである。
【図９】同上、テレビジョン受信機のチャンネルプリセットの動作説明用の他の一部のフローチャートである。
【図１０】同上、テレビジョン受信機のチャンネルプリセットの動作説明用の他の一部のフローチャートである。
【図１１】ＡＴＳＣ方式のデジタルテレビ放送の一部のデータ構造の説明図である。
【図１２】同上、ＡＴＳＣ方式のデジタルテレビ放送の他の一部のデータ構造の説明図である。
【符号の説明】
【００９４】
２    受信復調部
３    選局制御部
４    チャンネルプリセット用のメモリ
１０    ＰＳＩＰ検出部
１１    チャンネル検出部
１２    チャンネルプリセット処理部
【図１】
2008154148.tif 000006
【図２】
2008154148.tif 000007
【図３】
2008154148.tif 000008
【図４】
2008154148.tif 000009
【図５】
2008154148.tif 000010
【図６】
2008154148.tif 000011
【図７】
2008154148.tif 000012
【図８】
2008154148.tif 000013
【図９】
2008154148.tif 000014
【図１０】
2008154148.tif 000015
【図１１】
2008154148.tif 000016
【図１２】
2008154148.tif 000017